(57)【要約】【課題】  農業または林業害虫の駆除を簡単、容易に、安全に行なうこと。【解決手段】  ストリッパブルコーティングを用いる農業または林業害虫の駆除方法であって、そのストリッパブルコーティングがストリッパブルコーティングとして用いられるビニルプラスチゾル１そのものを用いるものであり、そのビニルプラスチゾルが蓄圧貯蔵される携帯用ボンベ２のノズル２Ｎに接続したノズルパイプ２Ｐを農業害虫１２または林業害虫１５の生息穴１４に挿入して、そのボンベの押釦２Ｂを押圧し、ビニルプラスチゾルをノズルより生息穴内に霧状で噴入し、その穴内の害虫を封じ込めると共に該穴内に充填し、その害虫を生息穴内で死滅さ、その後、生息穴の出入口１４Ｅをビニルプラスチゾル自体で封緘したままにするか、またはその場から剥離させ木、竹またはコルクの栓体により封緘することを特徴とする。【選択図】    図１
2006246899.tif 000002
【特許請求の範囲】
【請求項１】
ストリッパブルコーティングを用いる農業または林業害虫の駆除方法であって、そのストリッパブルコーティングが塗着後の塗膜に気密性があって、エアの流通を遮断する、人畜に無害である、可剥性があり、塗着後の剥離が容易であり、塗着されるものに傷を付けない性質のストリッパブルコーティングとして用いられるビニルプラスチゾル１そのものを用いるものであり、そのビニルプラスチゾルが蓄圧貯蔵される携帯用ボンベ２のノズル２Ｎを木の葉片１１にとまる農業害虫１２または林業害虫１５に向けて、そのボンベの押釦２Ｂを押圧し、該ボンベの弁が開弁して蓄圧状態のビニルプラスチゾルをノズルより霧状で吹き付け、その害虫をビニルプラスチゾルの塗膜により包み込み、死滅させ、その後、死滅した害虫だけを葉片より剥離して取り除く、または死滅した農業害虫を葉片ごと取り除くことを特徴とする農業または林業害虫の駆除方法。
【請求項２】
ストリッパブルコーティングを用いる農業または林業害虫の駆除方法であって、そのストリッパブルコーティングが塗着後の塗膜に気密性があって、エアの流通を遮断する、人畜に無害である、可剥性があり、塗着後の剥離が容易であり、塗着されるものに傷を付けない性質のストリッパブルコーティングとして用いられるビニルプラスチゾル１そのものを用いるものであり、そのビニルプラスチゾルが蓄圧貯蔵される携帯用ボンベ２のノズル２Ｎに接続したノズルパイプ２Ｐを農業害虫１２または林業害虫１５の生息穴１４に挿入して、そのボンベの押釦２Ｂを押圧し、ビニルプラスチゾルをノズルより生息穴内に霧状で噴入し、その穴内の害虫を封じ込めると共に該穴内に充填し、その害虫を生息穴内で死滅さ、その後、生息穴の出入口１４Ｅをビニルプラスチゾル自体で封緘したままにするか、またはその場から剥離させ木、竹またはコルクの栓体により封緘することを特徴とする農業または林業害虫の駆除方法。
【請求項３】
前記ストリッパブルコーティング１内に殺虫剤を混入することを特徴とする請求項１または２の農業または林業害虫の駆除方法。
【請求項４】
前記ストリッパブルコーティング１内に顔料を混入して着色することを特徴とする前記請求項１、２または３の農業または林業害虫の駆除方法。
【発明の詳細な説明】
【技術分野】
【０００１】
本発明は、害虫の駆除方法、特に農業または林業害虫の駆除方法に関する。
【背景技術】
【０００２】
従来、ビニルプラスチゾル，エチルセルロース、合成ゴム系ラテックス等のストリッパブルコーティング（可剥性塗料）は、既に知られている（非特許文献１）。
【非特許文献１】「プラスチック大辞典」株式会社工業調査会発行
【発明の開示】
【発明が解決しようとする課題】
【０００３】
そして、前記ストリッパブルコーティングは、通常は、工場などで生産した完成品を、その輸送および貯蔵中の摩耗や腐食から保護するために、その完成品に一時的に塗布する塗料で、必要なときに完成品を傷付けることなく剥ぎ取ることができるものであり、完成品の材質、形状などにより、浸漬、吹付、ロール塗布などにより完成品の表面に塗着されるものである。
【０００４】
ところで、本発明は、このストリッパブルコーティングが、
（１）塗着後の塗膜に気密性があって、エアの流通を遮断すること、
（２）人畜に無害であること、
（３）可剥性があり、塗着後の剥離が容易であり、塗着されるものに傷を付けないこと、
の特性をもつことに着目して、このストリッパブルコーティングを利用して害虫の駆除を簡単、容易に、しかも安全に行なうことができるようにした、新規な害虫(特に、農業または林業害虫)の駆除方法を提供することを目的とする。
【課題を解決するための手段】
【０００５】
前記目的を達成するために、請求項１の害虫の駆除方法の発明は、ストリッパブルコーティングを用いる農業または林業害虫の駆除方法であって、そのストリッパブルコーティングが塗着後の塗膜に気密性があって、エアの流通を遮断する、人畜に無害である、可剥性があり、塗着後の剥離が容易であり、塗着されるものに傷を付けない性質のストリッパブルコーティングとしてのビニルプラスチゾル１であり、そのビニルプラスチゾルが蓄圧貯蔵される携帯用ボンベ２のノズル２Ｎを木の葉片１１にとまる農業害虫１２または林業害虫１５に向けて、そのボンベの押釦２Ｂを押圧し、該ボンベの弁が開弁して蓄圧状態のビニルプラスチゾルをノズルより霧状で吹き付け、その害虫をビニルプラスチゾルの塗膜により包み込み、死滅させ、その後、死滅した害虫だけを葉片より剥離して取り除く、または死滅した農業害虫を葉片ごと取り除くことを特徴としている。害虫をストリッパブルコーティングにより包み込み、死滅させることを特徴としており、かかる特徴によれば、害虫を殺虫剤を用いることなく簡単に駆除することができ、しかも殺虫剤が周囲に飛散することがないので、人畜に無害であり、さらに害虫のいる場所に散乱したストリッパブルコーティングの塗膜は、そこから簡単に剥離することができて、その後の処理が容易であり、しかもその塗着面を傷付けるおそれがない。
【０００６】
また、前記目的を達成するため、請求項２の害虫の駆除方法の発明は、ストリッパブルコーティングを用いる農業または林業害虫の駆除方法であって、そのストリッパブルコーティングが塗着後の塗膜に気密性があって、エアの流通を遮断する、人畜に無害である、可剥性があり、塗着後の剥離が容易であり、塗着されるものに傷を付けない性質のストリッパブルコーティングとしてのビニルプラスチゾル１であり、そのビニルプラスチゾルが蓄圧貯蔵される携帯用ボンベ２のノズル２Ｎに接続したノズルパイプ２Ｐを農業害虫１２または林業害虫１５の生息穴１４に挿入して、そのボンベの押釦２Ｂを押圧し、ビニルプラスチゾルをノズルより生息穴内に霧状で噴入し、その穴内の害虫を封じ込めると共に該穴内に充填し、その害虫を生息穴内で死滅さ、その後、生息穴の出入口１４Ｅをビニルプラスチゾル自体で封緘したままにするか、またはその場から剥離させ木、竹またはコルクの栓体により封緘することを特徴としている。
害虫の巣もしくはその生息穴にストリッパブルコーティングを装填して、その害虫をストリッパブルコーティングにより封じ込めて死滅させることを特徴としており、かかる特徴によれば、害虫をその巣や生息穴に封じ込めて死滅させることができ、また、殺虫剤などの有害物質は、その巣や生息穴の周囲に飛散することがないので、人畜に無害であり、さらにストリッパブルコーティングの塗膜は、その巣や生息穴から簡単に剥離することができて、その後の処理が容易である。
【０００７】
さらに、前記目的を達成するため、請求項３の発明は、請求項１または２の発明において、前記ストリッパブルコーティング内に殺虫剤を混入することを特徴としており、かかる特徴によれば、請求項１または２記載の発明の効果に加えて、殺虫剤により、害虫を一層迅速、確実に死滅させることができ、しかも殺虫剤はストリッパブルコーティング内に混入されることにより、それ自体が直接周囲に飛散することなく、その後に硬化するので、人畜に対する殺虫剤による害は殆どない。
【０００８】
さらにまた、前記目的を達成するため、請求項４の発明は、請求項１，２または３の発明において、前記ストリッパブルコーティング内に顔料を混入して着色することを特徴としており、かかる特徴によれば、請求項１，２または３の発明の効果に加えて、ストリッパブルコーティングのの用途、強度、膜厚、乾燥度などに応じて、ストリッパブルコーティングに顔料を混入して複数の色に着色することにより、その使用目的に応じたストリッパブルコーティングの使い分けが容易になる。また、ビニルプラスチゾルは、その塗着面との色分けができるので、その剥離作業が一層容易になる。
【発明の効果】
【０００９】
本発明によれば、害虫を殺虫剤を用いることなく簡単に駆除することができ、しかも殺虫剤を使用しないことから、人畜に無害であり、さらに害虫の周囲の塗着面に散乱したストリッパブルコーティングの塗膜は、そこから簡単に剥離することができて、その後処理が容易であり、しかもその塗着面を傷付けるおそれがない。
【００１０】
また、害虫をその巣や生息穴に封じ込めて死滅させることができ、また、殺虫剤などの有害物質が、その巣や生息穴の周囲に飛散することがないので、人畜に無害であり、さらにストリッパブルコーティングの塗膜は、その巣や生息穴から簡単に剥離することができて、その後処理が容易である。
【００１１】
さらに、ストリッパブルコーティング１内に殺虫剤を混入する態様においては、殺虫剤により、害虫を一層迅速、確実に死滅させることができ、しかも殺虫剤はストリッパブルコーティング内に混入されることにより、それ自体が直接周囲に飛散することなく、その後に硬化するので、人畜に対する殺虫剤による害は殆どない。
【００１２】
さらにまた、ストリッパブルコーティング内に顔料を混入して着色する態様においては、ストリッパブルコーティングの用途、強度、膜厚、乾燥度などに応じて、ストリッパブルコーティングに顔料を混入して複数の色に着色することにより、その使用目的に応じたストリッパブルコーティングの使い分けが容易になる。また、ビニルプラスチゾル１は、その塗着面との色分けができるので、その剥離作業が一層容易になる。
【発明を実施するための最良の形態】
【００１３】
以下、本発明の実施の形態を、添付図面に示した本発明の実施例および参考例
に基づいて説明する。
【００１４】
まず、図１〜３を参照して本発明の第１参考例例について説明するに、この参考例は、本発明の害虫駆除方法を、蜂の駆除に適用した場合であり、図１は、蜂および蜂の巣に、ストリッパブルコーティングを吹き付けている状態を示す図、図２は、蜂の巣の出入口をストリッパブルコーティングにより封緘した状態を示す図、図３は、蜂をストリッパブルコーティングの塗膜により包み込んだ状態を示す図である。
【００１５】
［参考例１］
図１に示すように、携帯用ボンベ２内には、ストリッパブルコーティング（通称ストリップペイント）としてのビニルプラスチゾル１が蓄圧貯蔵される。ボンベ２のノズル２Ｎを蜂の巣４およびその周りを飛翔する蜂５に向けて、そのボンベ２の押釦２Ｂを押圧すれば、該ボンベ２の弁が開弁して蓄圧状態のビニルプラスチゾル１はノズル２Ｎより霧状となって噴出し、蜂の巣４の周りを飛翔する蜂５および該蜂の巣４の外周面の全域にわたって吹き付けられ、その後しばらくして該ビニルプラスチゾル１が乾燥硬化すれば、図３に示すように、蜂５は、硬化したビニルプラスチゾル１の塗膜１Ｆにより全体が包み込まれて目、口などの感覚器が塞がれて呼吸困難に、また羽や足が硬化して移動できなくなり死滅させることができ、また乾燥硬化したビニルプラスチゾル１に包みこまれた蜂５は、その場から簡単に剥離して廃棄処分することができる。また、図２に示すように、蜂の巣は、その外周全域が乾燥硬化したビニルプラスチゾル１の塗膜により包み込まれ、しかも蜂の巣４の内部にビニルプラスチゾル１が装填されると共にその出入口４Ｅは、ビニルプラスチゾル１の塗膜１Ｆにより気密に封緘される。したがって、蜂の巣４内にいる蜂５も呼吸困難となり、死滅させることができる。そして、硬化したビニルプラスチゾル１の塗膜１Ｆにより全体を包み込まれた蜂の巣４は、その支持部６から簡単、容易に離脱させることができる。また、ストリッパブルコーティングであるビニルプラスチゾル１は、可剥性に優れていることから、これを蜂の巣４から容易に剥がすことができ、該蜂の巣４を傷付けずに、その爾後処理をすることができる。
【００１６】
［参考例２］
図４，５には、本発明の第２参考例が示される。この第２参考例は、本発明の害虫駆除方法により、ゴキブリ８を死滅させる場合であり、図４は床９上を走るゴキブリ８にビニルプラスチゾル１を噴霧している状態を示す図、図５は、ゴキブリ８がビニルプラスチゾル１の塗膜１Ｆにより包み込まれた状態を示す図である。
【００１７】
図４に示すように、ボンベ２のノズル２Ｎをゴキブリに向けて、そのボンベ２の押釦２Ｂを押圧すれば、ビニルプラスチゾル１はノズル２Ｎより霧状となって噴出し、床９上を走るゴキブリ８に吹き付けられ、しばらくして該ビニルプラスチゾル１が乾燥硬化すれば、図５に示すように、ゴキブリ８は、硬化したビニルプラスチゾル１の塗膜１Ｆにより全体が包み込まれて目、口が塞がれて呼吸困難となり、また羽や足が硬化して動けなくなり、死滅させることができる。また、図５に示すように、床９に吹き付けられたビニルプラスチゾル１は、可剥性に優れていることから、ビニルプラスチゾル１の塗膜１Ｆにより包み込まれて死滅したゴキブリ８は、床９を傷付けることなく、図５鎖線に示すように、そこから簡単に取り除くことができ、また、ゴキブリ８の周囲の床９上に散乱して塗着したビニルプラスチゾル１の塗膜１Ｆも、床９を傷付けることなく、そこから簡単に剥離して取り除くことができる。
【００１８】
［実施例１］
図６，７には、本発明の第１実施例が示される。この第１実施例は、本発明害虫駆除方法により、青虫などの農業害虫１２を死滅させる場合であり、図６は、木の葉片１１に止まる農業害虫１２にビニルプラスチゾル１を噴霧している状態を示す図、図７は、農業害虫１２がビニルプラスチゾル１の塗膜１Ｆにより包み込まれた状態を示す図である。
【００１９】
図６に示すように、ボンベ２のノズル２Ｎを農業害虫１２に向けて、そのボンベ２の押釦２Ｂを押圧すれば、ビニルプラスチゾル１はノズル２Ｎより霧状となって噴出し、木の葉片１１に止まる農業害虫１２に吹き付けられ、しばらくして該ビニルプラスチゾル１が乾燥硬化すれば、図７に示すように、農業青虫１２は、硬化したビニルプラスチゾル１の塗膜１Ｆにより全体が包み込まれて目、口が塞がれて呼吸困難となり、また足が硬化して動けなくなり、死滅させることができる。そして、農業害虫１２の死滅後は、これだけを葉片１１より剥離して取り除いてもよく、また、図７に鎖線で示すように、死滅した農業害虫１２を葉片１１ごと取り除くようにしてもよい。
【００２０】
［実施例２］
図８，９には、本発明の第２実施例が示される。この第２実施例は、本発明害虫駆除方法により、松くい虫などの林業害虫１５を死滅させる場合であり、図８は、木の穴１４に生息する林業害虫１５にビニルプラスチゾル１を噴霧している状態を示す図、図９は、林業害虫１５がビニルプラスチゾル１の塗膜１Ｆにより封じ込まれた状態を示す図である。図８に示すように、樹木の幹や枝に生息穴１４をあけ、その穴１４内で、生息する林業害虫１５に対しては、図８に示すように、ボンベ２のノズル２Ｎに接続したノズルパイプ２Ｐをその生息穴１４に挿入して、そのボンベ２の押釦２Ｂを押圧すれば、ビニルプラスチゾル１は、ノズル２Ｎより霧状となって生息穴１４内に噴入して、その穴１４内の林業害虫１５を封じ込めると共に該穴１４内に充填されて、その林業害虫を生息穴１４内で死滅させることができる。その後、生息穴１４の出入口１４Ｅは、図９に示すように、ビニルプラスチゾル１自体で封緘してもよく、また、木、竹、コルクなどよりなる栓体により封緘してもよい。
【００２１】
前記第１〜２参考例および第１〜２実施例において、ビニルプラスチゾル１内に、適宜の殺虫剤を混入させるようにすれば、ビニルプラスチゾル１に包み込まれた害虫の死滅を早めることができ、またその死滅を一層確実なものとすることができる。
【００２２】
また、前記第１〜２参考例および第１〜２実施例において、ビニルプラスチゾル１の用途、強度、膜厚、乾燥度などに応じて、ビニルプラスチゾル１に顔料を混入して複数の色に着色しておけば、その使用目的に応じたビニルプラスチゾル１の使い分けが容易になる。また、ビニルプラスチゾル１は着色することにより、その塗着面との色分けができるので、その剥離作業が容易になる。
【００２３】
以上、本発明の実施例および参考例について説明したが、本発明はその実施例に限定されることなく、本発明の範囲内で種々の実施例が可能である。
【００２４】
たとえば、前記第１〜２参考例および第１〜２実施例では、ストリッパブルコーティングとしてビニルプラスチゾルを用いた場合を説明したが、これに代えてエチルセルロース、合成ゴム系ラテックスなどの他のストリッパブルコーティングを使用しても良いことは勿論であり、さらに前記第１〜２参考例および第１〜２実施例以外の害虫の死滅にも利用できることは勿論である。
【図面の簡単な説明】
【００２５】
【図１】蜂および蜂の巣に、ストリッパブルコーティングを吹き付けている状態を示す図（第１参考例）
【図２】蜂の巣の出入口をストリッパブルコーティングにより封緘した状態を示す図（第１参考例）
【図３】蜂をストリッパブルコーティングの塗膜により包み込んだ状態を示す図（第１参考例）
【図４】床上を走るゴキブリにビニルプラスチゾルを噴霧している状態を示す図（第２参考例）
【図５】ゴキブリがビニルプラスチゾルの塗膜により包み込まれた状態を示す図（第２参考例）
【図６】木の葉片に止まる農業害虫にビニルプラスチゾルを噴霧している状態を示す図（第１実施例）
【図７】農業害虫がビニルプラスチゾルの塗膜により包み込まれた状態を示す図（第１実施例）
【図８】木の穴に生息する林業害虫にビニルプラスチゾルを噴霧している状態を示す図（第２実施例）
【図９】林業害虫がビニルプラスチゾルの塗膜により封じ込まれた状態を示す図（第２実施例）
【符号の説明】
【００２６】
１  ストリッパブルコーティングとしてのビニルプラスチゾル
５  害虫である蜂
８  害虫であるゴキブリ
１２  農業害虫
１４  生息穴である木の穴
１５  林業害虫
【図１】
2006246899.tif 000003
【図２】
2006246899.tif 000004
【図３】
2006246899.tif 000005
【図４】
2006246899.tif 000006
【図５】
2006246899.tif 000007
【図６】
2006246899.tif 000008
【図７】
2006246899.tif 000009
【図８】
2006246899.tif 000010
【図９】
2006246899.tif 000011